(57)【要約】      （修正有）【課題】全押釦の配置面積の制限を受けない電子式操作部を備えた機器を提供する。【解決手段】数字の入力操作を押釦の１度押す操作では１０種類の入力に不足する２個以上９個以下の機器の機能発揮と小型化と操作性を勘案した任意の配置とする。押す操作による２桁以上の構成の桁数を合わせ、構成に対応して設定の内容を１入力とすることで１０種類の数字を入力する。加えて１０種類を超過する構成を使用して従来技術で必要とする動作実行などの機器の機能発揮に必要な押釦の入力設定で、その押釦も削減する。【選択図】図２
2016095820.tif 000002
【特許請求の範囲】
【請求項１】
入力用押釦の配置で少なくともアラビア数字を個別表示の２個の押釦を配置し、１個単独の押釦の４度の押す操作で作る４桁の構成と２個の押釦の組合わせで押す操作の計が４度で作る４桁の構成に対応して設定の内容を１入力操作としてなる電子式操作部を備えた機器。
【請求項２】
入力用押釦の配置で少なくともアラビア数字を個別表示の３個の押釦を配置し、１個単独の押釦の３度の押す操作で作る３桁の構成と２個または３個の押釦の組合わせで押す操作の計が３度で作る３桁の構成に対応して設定の内容を１入力操作としてなる電子式操作部を備えた機器。
【請求項３】
入力用押釦の配置で少なくともアラビア数字を個別表示の４個の押釦を配置し、１個単独の押釦の２度の押す操作で作る２桁の構成と２個の押釦の組合わせで名１度の押す操作で作る２桁の構成に対応して設定の内容を１入力操作としてなる電子式操作部を備えた機器。
【請求項４】
入力用押釦の配置で少なくともアラビア数字を個別表示の５個以上９個以下の押釦を任意に配置し、１個単独の押釦の２度の押す操作で作る２桁の構成と２個の押釦の組合わせで各１度の押す操作で作る２桁の構成に対応して設定の内容を１入力操作としてなる電子式操作部を備えた機器。
【発明の詳細な説明】
【技術分野】
【０００１】本発明は、入力用の押釦を配置した電子式操作部を備えた機器の入力用の押釦の総数を削減する技術に係るものである。
【背景技術】
【０００２】従来技術は、電子式操作部の入力用押釦の配置には少なくともアラビア数字の０と１から９迄の整数９種類の計１０種類を個別表示の１０個が必要で１度の押す操作で１入力であり、加えて機器の機能発揮には動作入力などの１個以上の押釦の配置も必要とする。
【発明の概要】
【発明が解決しようとする課題】
【０００３】押釦は人の指先での押す行為を必要とするため押釦の表面積の縮小には限界があり電子式操作部並びに電子式操作部を備えた機器の小型化には押釦の総数の削減が有効であるが０００２項に記載の課題があった。
本発明は、従来の技術の有するこのような問題点に鑑みてなされたものであり数字の入力に必要な押釦と機器の機能発揮に必要な押釦の総数を削減し、電子式操作部を備えた機器の小型化と小型化で生じる押釦の押す面積の縮小化の阻止に効果のある技術を提供しようとするものである。
【課題を解決するための手段】
【０００４】数字表示の押釦を１度の押す操作で１入力では１０種類の数字の入力に不足の２個以上９個以下の任意の配置とし、１個単独の押釦の２度以上の押す操作で作る２桁以上の数字の構成と複数個の組合わせの押す操作で作る２桁以上の数字の構成の桁数を合わせ、１０種類を超過する１６種類以上の構成を作り、構成に対応して設定の内容を１入力操作とする。構成の内の１０種類を数字入力に使用し、残りの構成を従来技術では単独に設置の動作入力などの押釦の入力設定とすることで押釦の総数を削減する。【０００５】押釦２個配置で３桁の構成では８種類しか作れず１０種類の数字入力対応に不足し、４桁の構成で１６種類を作ることができる。押釦３個配置で２桁の構成では９種類しか作れず３桁の構成で２７種類を作ることができる。押釦４個配置では２桁の構成で１６種類を作ることができる。２桁で１０種類を超過する構成が作れる押釦の最少設置個数は４個。５個以上９個以下の配置では２桁の構成で、５個配置で２５種類、６個配置で３６種類、７個配置で４９種類、８個配置で６４種類、９個配置で８１種類を作ることができる。
【発明の効果】
【０００６】押釦の総数を削減すれば電子式操作部を備えた機器の小型化の効果は明白である。押釦の配置個数と押す操作で作る２桁以上の数字の構成の関係では配置個数が少ない方が機器の小型化で優位となるが、必要とする構成の桁数が多くなり、操作者の押釦の押す順序と構成に対応して設定の入力内容の記憶に難が生じる。配置個数が多いと小型化の効果は劣るが押す操作の桁数を最少の２桁とすることができ、更に押す順序と入力内容の関係を操作者の記憶を容易にできる構成を使用でき操作性で優位となる。押釦の設置個数は機器の機能発揮と操作性を勘案して任意とする。【０００７】押釦の総数が少ないため押釦を単独または複数を他の押釦と分離して自由な場所に配置しても操作者が場所を認識するのに困難は生じない効果があり、更に押釦を表示画面内で感圧式で取込み表示がなくても配置場所を説明書に４個配置の例で左上を１、右上を２、左下を３、右下を４と記載しても操作者が場所を認識するのに困難は生じない効果がある。
【図面の簡単な説明】
【０００８】
【図１】従来の技術による携帯電話機の例の平面図である。
【図２】本発明による携帯電話機への実施例の平面図である。
【発明を実施するための形態】
【０００９】以下、本発明の実施の形態について説明する。
従来の技術と本発明の技術を比較するために従来の技術による携帯電話機の例を図１に示す。携帯電話機本体１の詳細と電源の入り切りの押釦や音声の入出力部などの配置説明を省略した機能の発揮の説明に必要とする主要部の構成要素の配置を示す平面図である。表示画面２と４個配置の動作入力用押釦群３と１０個配置の数字押釦群４と２個配置の記号押釦群５を配置、押釦は１度の押す操作で押釦に表示の１入力でなる。動作入力用押釦群３の表示は製品では入力内容を押釦に表示なるも図面および説明の簡略のため英字で表示して英字に対応の入力内容を表１に示すものである。最初のＡ表示の押釦を操作後の画面表示の例を表２に示す。操作手順は容易に推定できるため説明を省略する。
【００１０】
【表１】
2016095820.tif 000003
【００１１】
【表２】
2016095820.tif 000004
【００１２】本発明の技術による携帯電話機の実施例を図２に示す。
携帯電話機本体１ａの詳細と電源の入り切りの押釦や音声の入出力部などの配置説明を省略した機能発揮の説明に必要とする主要部の構成要素の配置を示す平面図である。表示画面２ａと２個の数字押釦群４ａの配置でなる。操作は４桁の数字の構成で１入力とし、図１と同じ機能発揮となる構成に対応して設定の入力内容を表３に示す。操作手順は容易に推定できるため説明を省略する。
【００１３】
【表３】
2016095820.tif 000005
【００１４】本発明の技術による携帯電話機の実施例で数字押釦３個配置（配置図は図２より容易に推定できるため記載を省略）で、操作は３桁の数字の構成で１入力とする。３個配置で３桁では２７種類の構成が作れるため、図１と同じ機能発揮となる構成に対応して設定の入力内容の例を表４に示す。
【００１５】
【表４】
2016095820.tif 000006
【００１６】本発明の技術による携帯電話機の実施例で数字押釦４個配置（配置図は図２より容易に推定できるため記載を省略）で、操作は２桁の数字の構成で１入力とする。４個配置で２桁では１６種類の構成が作れるため、図１と同じ機能発揮となる構成に対応して設定の入力内容の例を表５に示す。
【００１７】
【表５】
2016095820.tif 000007
【００１８】本発明の技術による携帯電話機の実施例で数字押釦９個配置（配置図は図２より容易に推定できるため記載を省略）で、操作は２桁の数字の構成で１入力とする。９個配置で２桁では８１種類の構成が作れるため、図１と同じ機能発揮となる構成に対応して設定の入力内容の例を表６に示す。表６では押す順序と入力内容の関係を操作者の記憶を最も優位とする構成を使用。
【００１９】
【表６】
2016095820.tif 000008
【符号の説明】
【００２０】１    従来技術による携帯電話機本体
１ａ  本発明の技術による携帯電話機本体
２    表示画面
２ａ  表示画面
３    ４個配置の動作入力用押釦群
４    １０個配置の数字押釦群
５    ２個配置の記号押釦群
４ａ  ２個配置の数字押釦群
【図１】
2016095820.tif 000009
【図２】
2016095820.tif 000010